(57)【要約】【課題】長期間使用しても弾性力が低下しない小物跳ね上げ装置および小物跳ね上げ装置を設けた化粧料容器を提供することを目的とする。【解決手段】弾性片を折り曲げた板バネ形状の小物跳ね上げ装置であって、前記弾性片に１つの円弧状の折曲げ線を設けて、前記弾性片をベース部と保持部とに区分けし、前記折曲げ線に沿って弾性片を略Ｖ字状となるように２つに折り曲げて板バネをすることにより、前記保持部が凹状に湾曲し、凹状に湾曲した前記保持部に小物を載せて保持する。【選択図】  図１
2015066110.tif 000002
【特許請求の範囲】
【請求項１】
弾性片を折り曲げた板バネ形状の小物跳ね上げ装置であって、
前記弾性片に１つの円弧状の折曲げ線を設けて、前記弾性片をベース部と保持部とに区分けし、前記折曲げ線に沿って弾性片を略Ｖ字状となるように２つに折り曲げて板バネを形成することにより、前記保持部が凹状に湾曲し、
凹状に湾曲した前記保持部に小物を載せて保持することを特徴とする小物跳ね上げ装置。
【請求項２】
弾性片を折り曲げた板バネ形状の小物跳ね上げ装置であって、
前記弾性片に、互いに凸状に対向するように２つの円弧状の折曲げ線を設けて、前記弾性片をベース部、保持部、および前記ベース部と前記保持部とを接続する接続部に区分けし、
２つの前記折曲げ線に沿って弾性片を前記ベース部と前記保持部とが対向するように３つに折り曲げて板バネを形成することにより、前記保持部が凹状に湾曲し、
凹状に湾曲した前記保持部に小物を載せて保持することを特徴とする小物跳ね上げ装置。
【請求項３】
前記保持部の小物を載せる面に少なくとも１つの凸部を形成したことを特徴とする請求項１または２に記載の小物跳ね上げ装置。
【請求項４】
前記弾性片は、熱可塑性樹脂が延伸されたシートであることを特徴とする請求項１から３のいずれか１項に記載の小物跳ね上げ装置。
【請求項５】
請求項１〜４のいずれか１項に記載の小物跳ね上げ装置を設けた化粧料容器であって、
化粧料を収容する化粧料収容部と化粧用具を収容する化粧用具収容部とが設けられた容器本体、および、前記容器本体に開閉可能に設けられた蓋とを有し、
前記化粧用具収容部に前記小物跳ね上げ装置を設け、前記化粧小物跳ね上げ装置の前記保持部に化粧用具の先端を載せて保持することを特徴とする化粧料容器。
【発明の詳細な説明】
【技術分野】
【０００１】
本発明は、小物跳ね上げ装置および小物跳ね上げ装置を設けた化粧料容器に関する。
【背景技術】
【０００２】
アイシャドウ等の化粧料を収納する化粧料容器には、化粧料容器内に複数の収納部を設けて、化粧料と共に上記化粧料を塗布するためのチップやブラシ等の化粧用具も一緒に収納する容器が多数用いられている。
【０００３】
このような化粧料容器は持ち運びを目的として小型、または薄型であり、これに伴い、化粧料容器に収容される化粧用具は非常に小さいものが用いられており、また、化粧用具を収容する収容部も化粧用具を収容するのに最小限のスペースしか与えられていないために、化粧料容器から化粧用具を取り出し難いものが多い。
【０００４】
化粧料容器からの化粧用具の取り出しを容易にするために、板バネである弾材を用いて化粧用具を下から持ち上げる構造を用いたもの（特許文献１参照）、化粧用具を板バネである弾性片を用いて保持し、化粧料容器の蓋を開けた時に化粧用具が片持ち梁形状の弾性片によって上に持ち上げられる構造を用いたものがある（特許文献２参照）。
【先行技術文献】
【特許文献】
【０００５】
【特許文献１】実公昭６１−７６０３号公報
【特許文献２】実公昭５２−２５３５５号公報
【発明の開示】
【発明が解決しようとする課題】
【０００６】
板バネを用いて化粧用具を保持する構造は、化粧料容器を長期間使用していると、弾性片が常時変形した状態が継続することによって塑性変形を起こし、弾性力が低下して、化粧料容器の蓋を開けても十分に化粧用具を持ち上げられなくなるという問題があった。また、片持ち梁状形状の板バネの場合は、板バネを化粧料容器に固定する保持機構が別途必要となり、構造が複雑になるという問題が生じる。
【０００７】
そこで、本発明は上記問題を解決するために、長期間使用しても弾性力が低下しない小物跳ね上げ装置および小物跳ね上げ装置を設けた化粧料容器を提供することを目的とする。
【課題を解決するための手段】
【０００８】
本発明の小物跳ね上げ装置は、弾性片を折り曲げた板バネ形状の小物跳ね上げ装置であって、前記弾性片に１つの円弧状の折曲げ線を設けて、前記弾性片をベース部と保持部とに区分けし、前記折曲げ線に沿って弾性片を略Ｖ字状となるように２つに折り曲げて板バネを形成することにより、前記保持部が凹状に湾曲し、凹状に湾曲した前記保持部に小物を載せて保持することを特徴とする。
【０００９】
本発明の小物跳ね上げ装置は、弾性片を折り曲げた板バネ形状の小物跳ね上げ装置であって、前記弾性片に、互いに凸状に対向するように２つの折曲げ線を設けて、前記弾性片をベース部、保持部、および前記ベース部と前記保持部とを接続する接続部に区分けし、２つの前記折曲げ線に沿って弾性片を前記ベース部と前記保持部とが対向するように３つに折り曲げて板バネを形成することにより、前記保持部が凹状に湾曲し、凹状に湾曲した前記保持部に小物を載せて保持することを特徴とする。
【００１０】
前記保持部の小物を載せる面に少なくとも１つの凸部を形成する。
【００１１】
前記弾性片は、熱可塑性樹脂が延伸されたシートを用いる。
【００１２】
本発明の化粧料容器は、前記小物跳ね上げ装置を設けた化粧料容器であって、化粧料を収容する化粧料収容部と化粧用具を収容する化粧用具収容部とが設けられた容器本体、および、前記容器本体に開閉可能に設けられた蓋とを有し、前記化粧用具収容部に前記小物跳ね上げ装置を設け、前記小物跳ね上げ装置の前記化粧用具保持部に化粧用具の先端を載せて保持することを特徴とする。
【発明の効果】
【００１３】
本発明の小物跳ね上げ装置は、弾性片を折り曲げた板バネ形状の小物跳ね上げ装置であって、前記弾性片に１つの円弧状の折曲げ線を設けて、前記弾性片をベース部と保持部とに区分けし、前記折曲げ線に沿って弾性片を略Ｖ字状となるように２つに折り曲げて板バネを形成することにより、前記保持部が凹状に湾曲し、凹状に湾曲した前記保持部に小物を載せて保持することにより、塑性変形することなく長期間使用することが可能となる。
【００１４】
本発明の小物跳ね上げ装置は、弾性片を折り曲げた板バネ形状の小物跳ね上げ装置であって、前記弾性片に、互いに凸状に対向するように２つの折曲げ線を設けて、前記弾性片をベース部、保持部、および前記ベース部と前記保持部とを接続する接続部に区分けし、２つの前記折曲げ線に沿って弾性片を前記ベース部と前記保持部とが対向するように３つに折り曲げて板バネを形成することにより、前記保持部が凹状に湾曲し、凹状に湾曲した前記保持部に小物を載せて保持することにより、前記保持部の先端の移動量が小さくなり、保持部に載せられた小物が飛び跳ねるのを防止することが可能となる。
【００１５】
前記保持部の小物を載せる面に少なくとも１つの凸部を形成することにより、保持部に載せた小物が落ちるのを防止することが可能となる。
【００１６】
前記弾性片として、熱可塑性樹脂が延伸されたシートを用いることにより、十分な弾性力が確保される。
【００１７】
本発明の化粧料容器は、前記小物跳ね上げ装置を設けた化粧料容器であって、化粧料を収容する化粧料収容部と化粧用具を収容する化粧用具収容部とが設けられた容器本体、および、前記容器本体に開閉可能に設けられた蓋とを有し、前記化粧用具収容部に前記小物跳ね上げ装置を設け、前記小物跳ね上げ装置の前記化粧用具保持部に化粧用具の先端を載せて保持することにより、蓋を開けた時に、化粧用具の先端が前記小物跳ね上げ装置によって上方に持ち上げられることにより、簡単に化粧用具を取り出すことが可能である。また、前記弾性片に円弧状の折曲げ線を設けていることにより、弾性力が長期間維持され、長期間使用しても化粧用具を取り出し難くなることを防ぐことができる。
【図面の簡単な説明】
【００１８】
【図１】本発明の小物跳ね上げ装置の斜視図である。
【図２】弾性片の平面図である。
【図３】小物跳ね上げ装置の断面図である。
【図４】凸部を設けた小物跳ね上げ装置の斜視図である。
【図５】凸部を設けた小物跳ね上げ装置の斜視図である。
【図６】本発明の化粧料容器の斜視図である。
【図７】化粧用具を収容した状態の化粧料容器の斜視図である。
【図８】化粧料容器の断面図である。
【図９】本発明の化粧料容器の斜視図である。
【発明を実施するための最良の形態】
【００１９】
本発明を、図を用いて以下に詳細に説明する。図１が本発明の小物跳ね上げ装置１，１’の斜視図であり、図６が本発明の化粧料容器１０の斜視図である。
【００２０】
まず初めに、本発明の小物跳ね上げ装置１，１’について、２つの実施形態を用いて説明する。図１（ａ）に示すのが、第１の実施形態の小物跳ね上げ装置１であり、図１（ｂ）に示すのが、第２の実施形態の小物跳ね上げ装置１’である。
【００２１】
第１の実施形態の小物跳ね上げ装置１は、図２（ａ）に示すようなシート状の弾性片２を折り曲げ加工を行い板バネにしたものである。前記弾性片２は、折り曲げ加工した時に、弾性力を生じる材質からなるシートであり、ポリプロピレン、ポリエチレンテレフタラート等の熱可塑性樹脂を用いることが好ましい。
【００２２】
前記弾性片２を折り曲げ加工するために、図２（ａ）に示すように、折曲げ線３を設けるが、この時、前記折曲げ線３は直線ではなく、前記弾性片２の略中央を横断するように円弧状に設ける。前記弾性片２を幅２２．６ｍｍ、長さ３０ｍｍの大きさとした場合、前記折曲げ線３を、前記弾性片２の中央に、Ｒ１００ｍｍで形成する。
【００２３】
前記弾性片２には、前記折曲げ線３を境界として、ベース部４と保持部５が形成される。前記折曲げ線３が凹状の曲線となる方がベース部４となり、前記折曲げ線３が凸状の曲線となる方が保持部５となる。前記弾性片２を、図３（ａ）に示すように、前記折曲げ線３に沿って２つに折り曲げて略Ｖ字状にすると、図１（ａ）に示すような前記小物跳ね上げ装置１が完成する。
【００２４】
前記小物跳ね上げ装置１は、前記ベース部４が土台となって、前記保持部５に上から押さえ付けるように作用する力によって前記保持部５と前記ベース部４とが形成する角度が変化して変形する板バネである。前記保持部５は前記折曲げ線３が円弧状であるから、凹状に湾曲していることによって、化粧用具等の小物の先端を載せて保持することができる。
【００２５】
前記保持部５に小物を載せると、小物の重さによって前記保持部５と前記ベース部４とが形成する角度が小さくなる方向（図３（ａ）の矢印の方向）に、前記小物跳ね上げ装置１は変形する。この状態からさらに前記保持部５に上から押さえ付けるように力を加えるとさらに図３（ａ）に矢印で示す方向に変形する、その後、前記保持部５に上から押さえ付けるように加えた力を解除すると、前記保持部５と前記ベース部４とが形成する角度が大きくなる方向（図３（ａ）の矢印と反対方向）に、前記小物跳ね上げ装置１は前記保持部５を跳ね上げるように変形し、小物が載せられた最初の状態にもどる。
【００２６】
本発明の小物跳ね上げ装置１は、円弧状の折曲げ線３に沿って折り曲げ加工を行った板バネであることにより、１枚当たりの板バネの歪みが１／（折曲げ回数＋１）となり、永久歪み量を少なく抑えることが可能となる。また、小物跳ね上げ装置１の前記保持部５に上から押さえ付ける力が作用すると、前記円弧状折曲げ線３によって前記ベース部４と前記保持部５は３次元的に変形し、変形量は小物跳ね上げ装置１の幅方向へ分散されることから、従来の板バネのような単一の変形に比べると１箇所に集中する負荷が減少する。
【００２７】
そして、本発明の小物跳ね上げ装置１は、前記保持部５が凹状に湾曲していることから、前記小物跳ね上げ装置１が変形した時に、前記保持部５に載せられた小物が脱落するのを防止することができる。また、前記小物跳ね上げ装置１は自立することから、容器等に設置する際に、保持機構等を設ける必要は無く、簡単に、そして自由な位置に、容器に配置することができる。
【００２８】
前記折曲げ線３のＲは適宜変更することが可能である。例えば、前記折曲げ線３のＲを１００ｍｍから８０ｍｍに変更し、他の条件は同じで折り曲げ加工すると、前記ベース部４と前記保持部５との間の角度は、Ｒ１００ｍｍの場合よりも大きくなり、板バネの弾性力は大きくなる。このように、円弧状の折曲げ線３のＲを変更することで、弾性力を調整することも可能である。また、前記弾性片２の材質、大きさ、厚み等を変更することによっても、弾性力を変更することも可能である。
【００２９】
前記保持部５の表面に凸部６を設けることも可能である。凸部６の数は特に限定するものではないが、例えば、図４（ａ）に示すように、前記保持部５の表面の両端に２つの凸部６を設ける。これにより、前記保持部５に保持された小物が脱落することをより確実に防止することができる。前記凸部６の個数は特に限定するものではなく、例えば、２つの化粧用具を前記小物跳ね上げ装置１によって保持する場合、図４（ｂ）に示すように、３つの凸部６を設け、隣接する凸部６の間に化粧用具を１つずつ配置し、２つの化粧用具が互いに接触するのを防止することも可能である。
【００３０】
前記凸部６の形成方法としては、前記弾性片２を折り曲げ加工する前にプレス加工を行う形成方法、また、別部材として形成した凸部６を折り曲げ加工の前後に接着剤等で固定する方法等、様々な方法を用いることができる。また、凸部６の断面形状についても、半円形状、３角形、４角形等様々な形状を用いることが可能である。
【００３１】
次に、第２の実施形態の小物跳ね上げ装置１’について説明する。第２の実施形態の小物跳ね上げ装置１’は、図２（ｂ）に示すような弾性片２’に、２つの円弧状の折曲げ線７，８を設けて折り曲げ加工を行い板バネにしたものである。
【００３２】
前記弾性片２’に、図２（ｂ）に示すように、２つの折曲げ線７，８を互いに凸状に対向するように設ける。前記弾性片２’の大きさを第１の実施形態と同様に、幅２２．６ｍｍ、長さ３０ｍｍの大きさとした場合、前記折曲げ線７を、前記弾性片２’の中央に、Ｒ１５０ｍｍで形成し、前記折曲げ線８を前記折曲げ線７との間隔を６．５ｍｍとし、Ｒ５０ｍｍで形成する。
【００３３】
前記弾性片２’には、図２（ｂ）に示すように、前記折曲げ線７，８を境界として、ベース部４、保持部５および前記ベース部４と前記保持部５とを接続する接続部９が形成される。前記折曲げ線７，８の間が接続部９となり、前記折曲げ線７側がベース部４となり、前記折曲げ線８側が保持部５となる。前記弾性片２’を、前記折曲げ線７，８に沿って前記ベース部４と前記保持部５とが対向するように３つに折り曲げると、図１（ｂ）に示すような前記小物跳ね上げ装置１’が完成する。
【００３４】
前記小物跳ね上げ装置１’は、前記ベース部４が土台となって、前記保持部５に上から押さえ付けるように作用する力の大きさによって前記保持部５と前記接続部９とが形成する角度、および前記接続部９と前記ベース部４とが形成する角度が共に変化する（前記保持部５に作用する力が大きくなると、主に前記接続部９と前記ベース部４とが形成する角度が小さくなる方向（図３（ｂ）の矢印の方向）に変化する）板バネである。前記保持部５は、折曲げ線７，８が円弧状であることによって、凹状に湾曲しており、このような形状の前記保持部５によって化粧用具等の小物を載せることができる。
【００３５】
前記小物跳ね上げ装置１’を設けた化粧料容器の蓋を開けると、前記蓋によって前記保持部５を上から押さえ付けるように作用していた力から開放されて、前記小物跳ね上げ装置１’は小物が前記保持部５に載せられた最初の状態に戻るように変形するが、この時、２つの折曲げ線７，８を設けていることによって、第１の実施形態の小物跳ね上げ装置１と比較すると、前記保持部５の先端の移動量が少なくなる。これにより、軽量の小物を前記保持部５で保持する際に、前記小物跳ね上げ装置１’の跳ね上げ動作によって、小物が飛び跳ねて脱落するのを防止するのに効果的である。
【００３６】
前記折曲げ線７，８のＲは適宜変更することが可能である。例えば、前記折曲げ線７のＲを１５０ｍｍから１００ｍｍに変更し、前記折曲げ線８のＲを５０ｍｍから４０ｍｍに変更し、他の条件は同じで折り曲げ加工した場合、前記保持部５と前記接続部９とが形成する角度、および前記接続部９と前記ベース部４とが形成する角度が共に大きくなり、前記小物跳ね上げ装置１’の板バネとしての弾性力は大きくなる。さらに、前記折曲げ線７のＲを１５０ｍｍから８０ｍｍに変更し、前記折曲げ線８のＲを５０ｍｍから４０ｍｍに変更し、他の条件は同じで折り曲げ加工した場合、前記保持部５と前記接続部９とが形成する角度、および前記接続部９と前記ベース部４とが形成する角度が共にさらに大きくなり、前記小物跳ね上げ装置１’の板バネとしての弾性力はさらに大きくなる。
【００３７】
前記折曲げ線７，８のＲは適宜変更可能であるが、前記折曲げ線７と前記折曲げ線８のＲの関係は、前記折曲げ線７のＲをＲ１とし、前記折曲げ線８のＲをＲ２とすると、Ｒ１＞２Ｒ２とすることが好ましい。前記折曲げ線７，８のＲがこのような関係を保つことにより、前記小物跳ね上げ装置１’の変形は、主に、前記接続部９と前記ベース部４とが形成する角度が変化することによって生じるようになり、前記弾性部５の先端の移動量が少なくなるので、前記保持部５に載せられた小物は飛び跳ねることなく持ち上げられるようになる。
【００３８】
第２の実施形態の小物跳ね上げ装置１’についても、図５に示すように、凸部６を１つまたは複数設けることが可能であり、その個数および形成方法は適宜設定することができる。
【００３９】
次に、本発明の化粧料容器１０について説明する。前記化粧料容器１０は、構造自体は従来の化粧料容器と同じであり、図６，７に示すように、化粧料１５を収容する化粧料収容部１１と化粧用具１６を収容する化粧用具収容部１２とが設けられた容器本体１３、および、前記容器本体１３にヒンジ係合等によって開閉可能に設けられた蓋１４とを有し、前記化粧用具収容部１２内に前記小物跳ね上げ装置１を設けたものである。
【００４０】
図６に示すのは、化粧用具収容部１２に第１の実施形態の小物跳ね上げ装置１を設けたものであり、前記小物跳ね上げ装置１の保持部５に、２つの化粧用具１６の先端を載せたのが、図７に示す状態である。前記小物跳ね上げ装置１は、前記ベース部４が前記化粧用具収容部１２の底面と接するように、そして、前記保持部５の先端が前記化粧用具収容部１２の壁側の１つと隣接する位置に配置されている。
【００４１】
図７、図８（ｂ）に示すように、前記保持部５に２つの化粧用具１６の塗布部の一方を載せた状態では、前記小物跳ね上げ装置１は、図８（ａ）に示す化粧用具１６を載せる前の状態と比較すると、前記２つの化粧用具１６の重さが前記保持部５を上から押さえ付けるように作用して前記ベース部４と前記保持部５との間の角度が図８（ａ）よりも少し小さくなる方向に前記小物跳ね上げ装置１は変形しているが、前記化粧用具１６は、前記保持部５に保持された側が化粧用具収容部１２から上方に飛び出した状態である。このような状態で前記蓋１４を閉じると、前記化粧用具１６が前記蓋１４に押され、前記保持部５にはさらに上から押さえ付ける力が加えられることになり、図８（ｃ）に示すように、前記ベース部４と前記保持部５との間の角度が図８（ｂ）よりもさらに小さくなる方向に、前記小物跳ね上げ装置１が変形して、前記化粧用具１６は前記化粧用具収容部１２に収容される。
【００４２】
そして、前記蓋１４の係合部１８と前記容器本体１３の係合部１７とを係合させて前記蓋１４を前記容器本体１３に閉じた状態で固定すると、図８（ｃ）に示すように、前記化粧用具１６は前記蓋１４によって上から押さえられて前記化粧用具収容部１２内に収容された状態が保たれる。
【００４３】
このような状態から、前記蓋１４を開けると、前記化粧用具１６を上から押さえ付けていた力から開放され、前記保持部５を下方に押さえ付けていた力が消滅することにより、前記保持部５が跳ね上がるように前記小物跳ね上げ装置１が変形し、前記化粧用具収容部１２内に収容されていた化粧用具１６の先端は上方へと持ち上げられ、図８（ｂ）に示すように、前記保持部５に保持された前記化粧用具１６の塗布部が前記化粧用具収容部１２から飛び出した状態になる。このように、前記化粧用具１６の塗布部が前記化粧用具収容部１２から飛び出した状態になると、前記化粧用具１６は手でつまみ易くなり、簡単に取り出すことができる。
【００４４】
このように、本発明の化粧料容器１０は、蓋１４の開閉動作に応じて前記小物跳ね上げ装置１が変形することで、化粧用具１６を取り出し易くすることができ、前記小物跳ね上げ装置１の弾性力は長期間維持されることから、長期間使用しても化粧用具１６を取り出し難くなることを防止することができる。
【００４５】
図７に示すように、前記化粧料容器１０の化粧用具収容部１２の幅は一部が狭くなっており、前記小物跳ね上げ装置１を配置する箇所の幅は、前記物跳ね上げ装置１に合わせて広くなっている。これにより、前記跳ね上げ装置１が化粧用具収容部１２内で動くことを防止することができる。
【００４６】
前記小物跳ね上げ装置１は、前記化粧用具収容部１２に固定せずに配置することができるが、接着剤等を用いて前記ベース部４を前記化粧用具収容部１２の底面に固定することも可能である。また、前記化粧用具収容部１２の底面に窪みを設けて、前記小物跳ね上げ装置１を窪みの中に嵌め込んで固定する構造とすることも可能である。このように、前記化粧用具収容部１２に、小物跳ね上げ装置１，１’を固定するスペースを設けて、固定する、あるいは動きを制限することも可能である。
【００４７】
図９に示すのは、第２の実施形態の小物跳ね上げ装置１’を前記化粧用具収容部１２に配置した化粧料容器１０’であり、前記小物跳ね上げ装置１’は前記接続部９が前記化粧用具収容部１２の壁に隣接するように配置したものである。
【００４８】
前記化粧料容器１０’も、蓋１２を開けると前記小物跳ね上げ装置１’の保持部５に保持された化粧用具１６の塗布部が上方に飛び出すことによって、化粧用具１６を容易に取り出すことが可能である。
【００４９】
本発明の小物跳ね上げ装置１，１’の使用方法として化粧料容器１０，１０’を用いて説明したが、その他の用途に用いることも可能である。
【符号の説明】
【００５０】
１，１’  小物跳ね上げ装置
２，２’  弾性片
３        折曲げ線
４        ベース部
５        保持部
６        凸部
７，８    折曲げ線
９        接続部
１０，１０’  化粧料容器
１１      化粧料収容部
１２      化粧用具収容部
１３      容器本体
１４      蓋
１５      化粧料
１６      化粧用具
１７，１８  係合部
【図１】
2015066110.tif 000003
【図２】
2015066110.tif 000004
【図３】
2015066110.tif 000005
【図４】
2015066110.tif 000006
【図５】
2015066110.tif 000007
【図６】
2015066110.tif 000008
【図７】
2015066110.tif 000009
【図８】
2015066110.tif 000010
【図９】
2015066110.tif 000011